(57)【要約】【目的】発電所の取水口近傍のクラゲを低コストで且つ効率的に捕獲することができ、クラゲを破砕した場合に生じる悪臭の問題を回避でき、発電所周辺の養殖用生け簀における養殖魚の飼育コストを低減させることができる発電所取水口近傍のクラゲの捕獲及び放出システム並びに方法を提供する。【構成】発電所の取水口近傍に配置され、前記取水口近傍のクラゲをクラゲポンプにより生きたまま捕獲して自らの内部に回収、収容し、タグボート等の移動手段により遠隔の養殖用生け簀に移動可能であり、且つ自らの内部に収容しているクラゲをクラゲポンプにより生きたまま養殖用生け簀内に移送、放出するクラゲ捕獲バージを備えた発電所取水口近傍のクラゲの捕獲及び放出システム及び方法である。【選択図】    図１
2015161140.tif 000002
【特許請求の範囲】
【請求項１】
発電所の取水口近傍に配置され、前記取水口近傍のクラゲを生きたまま捕獲して自らの内部に収容し、タグボート等の移動手段により遠隔の養殖用生け簀に移動可能であり、且つ自らの内部に収容しているクラゲを生きたまま養殖用生け簀に放出するクラゲ捕獲バージを備えた、発電所取水口近傍のクラゲの捕獲及び放出システムであって、
前記クラゲ捕獲バージは、
海水及びクラゲを収容する第１領域、及び前記第１領域中の海水は通過させるがクラゲは通過させない仕切り部材により前記第１領域と仕切られた第２領域を有するクラゲタンクと、
前記取込口周辺のクラゲを内部に取り込む取込口と、
前記取込口周辺のクラゲを生きたまま前記クラゲタンクの第１領域に取り込むクラゲポンプと、
前記クラゲタンクの第２領域内の海水を排出口から外部に排出する排水ポンプと、
前記クラゲタンクの第１領域内のクラゲの量を検知するクラゲ量センサと、
前記クラゲ量センサからの信号に基づいて所定のアラーム又は情報を出力するアラーム等出力手段と、
前記クラゲタンクの第１領域内のクラゲを養殖用生け簀内に放出する放出用パイプと、
前記クラゲタンクの第１領域内のクラゲを放出用パイプを介して生きたまま養殖用生け簀内に放出する放出用ポンプ（前記クラゲポンプと兼用されるものであってもよい）と、
を備えたものである、ことを特徴とする発電所取水口近傍のクラゲの捕獲及び放出システム。
【請求項２】
発電所の取水口近傍に配置され、前記取水口近傍のクラゲを生きたまま捕獲して自らの内部に収容し、タグボート等の移動手段により遠隔の養殖用生け簀に移動可能であり、且つ自らの内部に収容しているクラゲを生きたまま養殖用生け簀に放出するクラゲ捕獲バージを使用する、発電所取水口近傍のクラゲの捕獲及び放出方法であって、
発電所の取水口近傍に前記クラゲ捕獲バージを配置する工程と、
取水口近傍のクラゲを海水と一緒に取込口からクラゲポンプにより生きたまま前記クラゲ捕獲バージ内のクラゲタンクの第１領域内に取り込むと共に、前記クラゲタンクの第１領域内の海水を、前記クラゲタンク内の前記第１領域内の海水は通過させるがクラゲは通過させない仕切り部材により前記第１領域と仕切られた第２領域に移動させ、前記第２領域に移動した海水を排水ポンプにより排水口から外部に排水する工程と、
前記クラゲタンクの第１領域内のクラゲの量が所定量を超えたことをクラゲ量センサが検知したとき、アラーム等出力手段が所定のアラーム又は情報を出力する工程と、
前記アラーム等の出力に対応して、前記クラゲ捕獲バージをタグボート等の移動手段により遠隔の養殖用生け簀の近傍に移動させ、前記クラゲタンクの第１領域内のクラゲを放出用ポンプ（前記クラゲポンプと兼用されるものであってもよい）により放出用パイプを介して生きたまま養殖用生け簀内に放出する工程と、
を含むことを特徴とする発電所取水口近傍のクラゲの捕獲及び放出方法。
【発明の詳細な説明】
【技術分野】
【０００１】
本発明は発電所取水口近傍のクラゲを低コストで効率的に捕獲し放出するためのシステム並びに方法に関する。
【背景技術】
【０００２】
従来より、火力発電所や原子力発電所では冷却のための海水を取水口から採取しているが、この取水口の周辺にクラゲが押し寄せて取水口を塞いで取水量を低下させてしまうことなどが問題となっていた。そして、このような問題を解決するため、従来より、発電所の取水口の周辺のクラゲが取水口から取り込まれないようにするためのシステム及び方法が複数提案されているが、それらの多くは、取水口近傍でクラゲを捕獲して陸上で粉砕し廃棄処理するというものであった（例えば特許文献１参照）。
【先行技術文献】
【特許文献】
【０００３】
【特許文献１】特開２０１２−１２０９５７号公報
【発明の概要】
【発明が解決しようとする課題】
【０００４】
しかしながら、前述のような従来の取水口近傍でクラゲを捕獲し陸上で粉砕し廃棄物処理する方法によるときは、粉砕したクラゲを産業廃棄物として処理することが必要となり多大な処理コストが発生してしまう、クラゲの粉砕物が腐敗により悪臭を放出して周辺の生活環境に深刻な影響を与えてしまうなどの困難な問題を生じさせていた。
【０００５】
本発明はこのような従来技術の問題点に着目して為されたものであって、発電所の取水口近傍のクラゲを低コストで且つ効率的に捕獲することができ、クラゲを破砕して廃棄物処理する場合に生じる悪臭の問題などを回避することができ、さらに発電所周辺の養殖用生け簀における養殖魚の飼育コストを低減させることができる、発電所取水口近傍のクラゲの捕獲及び放出システム並びに方法を提供することを目的とする。
【課題を解決するための手段】
【０００６】
前述のような従来技術の課題を解決するための本発明による発電所取水口近傍のクラゲの捕獲及び放出システムは、発電所の取水口近傍に配置され、前記取水口近傍のクラゲを生きたまま捕獲して自らの内部に収容し、タグボート等の移動手段により遠隔の養殖用生け簀に移動可能であり、且つ自らの内部に収容しているクラゲを生きたまま養殖用生け簀内に放出するクラゲ捕獲バージを備えた、発電所取水口近傍のクラゲの捕獲及び放出システムであって、前記クラゲ捕獲バージは、海水及びクラゲを収容する第１領域及び前記第１領域中の海水は通過させるがクラゲは通過させない仕切り部材により前記第１領域と仕切られた第２領域を有するクラゲタンクと、前記取込口周辺のクラゲを内部に取り込む取込口と、前記取込口周辺のクラゲを生きたまま前記クラゲタンクの第１領域に取り込むクラゲポンプと、前記クラゲタンクの第２領域内の海水を排出口から外部に排出する排水ポンプと、前記クラゲタンクの第１領域内のクラゲの量を検知するクラゲ量センサと、前記クラゲ量センサからの信号に基づいて所定のアラーム又は情報を出力するアラーム等出力手段と、前記クラゲタンクの第１領域内のクラゲを養殖用生け簀内に放出する放出用パイプと、前記クラゲタンクの第１領域内のクラゲを放出用パイプを介して生きたまま養殖用生け簀内に放出する放出用ポンプ（前記クラゲポンプと兼用されるものであってもよい）と、を備えたものである。
【０００７】
また、本発明による発電所取水口近傍のクラゲの捕獲及び放出方法は、発電所の取水口近傍に配置され、前記取水口近傍のクラゲを生きたまま捕獲して自らの内部に収容し、タグボート等の移動手段により遠隔の養殖用生け簀に移動可能であり、且つ自らの内部に収容しているクラゲを生きたまま養殖用生け簀内に放出するクラゲ捕獲バージを使用する、発電所取水口近傍のクラゲの捕獲及び放出方法であって、発電所の取水口近傍に前記クラゲ捕獲バージを配置する工程と、取水口近傍のクラゲを海水と一緒に取込口からクラゲポンプにより生きたまま前記クラゲ捕獲バージ内のクラゲタンクの第１領域内に取り込むと共に、前記クラゲタンクの第１領域内の海水を、前記クラゲタンク内の前記第１領域内の海水は通過させるがクラゲは通過させない仕切り部材により前記第１領域と仕切られた第２領域に移動させ、前記第２領域に移動した海水を排水ポンプにより排水口から外部に排水する工程と、前記クラゲタンクの第１領域内のクラゲの量が所定量を超えたことをクラゲ量センサが検知したとき、アラーム等出力手段が所定のアラーム又は情報を出力する工程と、前記アラーム等の出力に対応して、前記クラゲ捕獲バージをタグボート等の移動手段により遠隔の養殖用生け簀の近傍に移動させ、前記クラゲタンクの第１領域内のクラゲを放出用ポンプ（前記クラゲポンプと兼用されるものであってもよい）により放出用パイプを介して生きたまま養殖用生け簀内に放出する工程と、を含むものである。
【発明の効果】
【０００８】
本発明によれば、前述のように、発電所の取水口近傍のクラゲを海水と一緒に取込口からクラゲ捕獲バージ内のクラゲタンクの第１領域内に取り込むと共に、前記第１領域内に取り込んだ海水は第２領域に移動させて排水ポンプにより排水口から外部に排水するようにしたので、極めて効率的に取水口近傍のクラゲを洋上バージ内に捕獲できるようになる。
【０００９】
また、本発明によれば、前述のように発電所の取水口近傍のクラゲを海水と一緒にクラゲポンプ（クラゲを生きたまま移送可能なポンプ）により生きたままクラゲ捕獲バージ内のクラゲタンク内に取り込み捕獲しそれらを養殖用生け簀内に放出するようにしたので、従来のクラゲを破砕して廃棄物処理する場合に生じていた悪臭の問題などを回避できるようになる。
【００１０】
さらに、本発明によれば、前述のように前記クラゲ捕獲バージ内のクラゲを放出用ポンプにより生きたまま養殖魚の餌として養殖用生け簀内に放出するようにしたので、発電所周辺の養殖用生け簀における養殖魚の飼育コストを大幅に低減させることができるようになる。
【図面の簡単な説明】
【００１１】
【図１】本発明の実施形態の基本的構成を説明するための概略図である。
【図２】本実施形態の構成及び動作を説明するための概念模式図で、（ａ）は取水口近傍のクラゲを後記クラゲタンク内に捕獲するときの構成及び動作を模式的に示す図、（ｂ）は後記クラゲタンク内に捕獲したクラゲを養殖用生け簀に放出するときの構成及び動作を模式的に示す図である。
【発明を実施するための形態】
【００１２】
以下、本発明の実施形態による発電所取水口近傍のクラゲの捕獲及び放出システムを図１，２を参照して説明する。図１は本実施形態の基本的構成を説明するための概略図、図２は本実施形態の構成及び動作を説明するための概念模式図で、（ａ）は取水口近傍のクラゲを後記クラゲタンク内に捕獲するときの構成及び動作を模式的に示す図、（ｂ）は後記クラゲタンク内に捕獲したクラゲを養殖用生け簀に放出するときの構成及び動作を模式的に示す図である。
【００１３】
図１及び図２（ａ）において、１は発電所の取水口、２はこの取水口１の近傍に配置されたクラゲ捕獲バージ、３は取水口１周辺のクラゲ１０を前記クラゲ捕獲バージ２の内部に取り込む取込口（吸込み口）、４は前記クラゲ捕獲バージ２の内部に配置されており前記取込口３と取込みパイプ３ａ（図２（ａ）参照）を介して接続されているクラゲタンク、４ａ（図２参照）は前記クラゲタンク４中の前記取込口３からのクラゲ１０及び海水が収容される第１領域、４ｂ（図２参照）は前記クラゲタンク４中の海水のみが存在する第２領域、４ｃ（図２参照）は前記第１領域４ａと第２領域４ｂとを仕切る仕切り部材であって前記第１領域４ａ中の海水は通過させるがクラゲ１０は通過させない金網などから成る仕切り部材、５は前記取込口３周辺のクラゲを吸い込んで取込みパイプ３ａを介して生きたまま前記クラゲタンク４の第１領域４ａ内に移送させるクラゲポンプ（従来より公知の「インペラを有していないフィッシュポンプ」などにより構成される）である。
【００１４】
また、図１及び図２（ａ）において、６は前記クラゲタンク４の第２領域４ｂ内と外部とを接続する排水パイプ６ａの端部の排水口、７は前記第２領域４ｂ内の海水を前記排水パイプ６ａ及び前記排水口６から外部の海中に排水するための排水ポンプである。
【００１５】
また、図１及び図２において、８（図２参照）は前記第１領域４ａ内のクラゲ１０の量（数量など）を検知するためのクラゲ量センサ（例えば、超音波を前記第１領域４ａ中に発振しその反射波によりクラゲの数量等を検知する超音波センサ、赤外線などの光を前記第１領域４ａ中に照射してその透過量を検出する光センサなどにより構成される）、９（図２参照）は前記クラゲ捕獲バージ２又はその近傍の管理者（作業者）が居る場所に設置されるアラーム等発生装置であって前記クラゲ量センサ８からの信号に基づいて所定のアラーム音を発生させる（又は所定の文字等を画面上に表示させる）アラーム等発生装置である。
【００１６】
また、図１及び図２（ｂ）において、１１は前記発電所取水口１の遠隔にある養殖用生け簀、１２は前記アラーム等発生装置９からアラーム等が発生されたとき前記クラゲ捕獲バージ２を前記養殖用生け簀１１の近傍に移動させる曳航タグボート、１３は前記クラゲタンク４の第１領域４ａ内のクラゲ１０を前記クラゲポンプ５（前記クラゲポンプ５とは別個のフィッシュポンプでもよい）により前記養殖用生け簀１１内に生きたまま移送、放出する放出用パイプである。
【００１７】
なお、前記クラゲ捕獲バージ２の具体例としては、例えば、喫水８ｍ、長さ１００ｍ、幅２０ｍのサイズのバージとして構成し、港の取水幅が例えば５００ｍの場合は５隻のクラゲ捕獲バージとして用意され、各クラゲ捕獲バージ２は、１隻当たり１０台のクラゲポンプ５（例えば１０００ｍ３／ｈ×１０ｍ、４５ｋＷ×９００ｒｐｍ）を搭載するようにし、これらのクラゲポンプ５を使用することにより、クラゲ１０をクラゲ捕獲バージ２のフロア下に配置されたクラゲタンク４内に生きたまま吸い込むようにしたものである。
【００１８】
次に本実施形態の動作を説明する。まず発電所の取水口１近傍のクラゲ１０を前記クラゲ捕獲バージ２内に生きたまま捕獲するときの動作を説明する。この場合は、まず、発電所の取水口１近傍に前記クラゲ捕獲バージ２を配置する。そして、前記クラゲポンプ５を駆動して、前記クラゲ捕獲バージ２の取込口３周辺のクラゲを海水と一緒に前記取込口３から吸い込み、生きたまま前記クラゲタンク４の第１領域４ａ内に移送する。この場合、前記第１領域４ａ内に移送されたクラゲ１０及び海水の中、クラゲ１０は前記第１領域４ａに残されたまま、海水のみは前記仕切り部材（金網など）４ｃを介して前記第２領域４ｂに移動する。前記第２領域４ｂ内に移動した海水は、前記排水ポンプ７により排水パイプ６ａを介して排水口６から外部の海中に排水される。このようにして、前記発電所の取水口１近傍に浮遊する多数のクラゲ１０は、前記クラゲタンク４の第１領域４ａ内に次々と回収、捕獲される。
【００１９】
次に、このようにして回収、捕獲された多数のクラゲ１０が養殖用生け簀１１内に養殖魚用の餌として移送、放出される動作を説明する。前記クラゲタンク４の第１領域４ａ内のクラゲの数量等が所定量を超えたことを前記クラゲ量センサ８が検知すると、前記クラゲ量センサ８からの信号に基づいて、管理者の居る場所に設置された前記アラーム等発生装置９から、所定のアラーム音が出力される（又は所定の文字等がディスプレイに表示される）。前記アラーム音に基づいて、管理者は前記タグボート１２等により前記クラゲ捕獲バージ２を曳航して遠隔の養殖用生け簀１１の近傍に移動させる。
【００２０】
このようにしてクラゲ捕獲バージ２を前記養殖用生け簀１１の近傍に配置した状態で、前記クラゲタンク４の第１領域４ａと前記養殖用生け簀１１との間を接続するように前記放出用パイプ１３を配置する（図１及び図２（ｂ）参照）。そして、前記クラゲポンプ５（前記クラゲポンプ５とは別個のフィッシュポンプでもよい）を使用して、前記クラゲタンク４の第１領域４ａ内の多数のクラゲ１０を、前記放出用パイプ１３を介して、養殖魚の餌として、養殖用生け簀１１内に生きたまま移送、放出する。
【００２１】
以上のように、本実施形態によれば、発電所の取水口１近傍のクラゲ１０を海水と一緒に取込口３からクラゲ捕獲バージ２内のクラゲタンク４の第１領域４ａ内に順次取り込むと共に、前記第１領域４ａ内に前記クラゲ１０と一緒に取り込まれた海水は、第２領域４ｂに移動させて排水ポンプ７により排水口６から外部に排水するようにしたので、極めて効率的に前記取水口１近傍のクラゲを洋上のクラゲ捕獲バージ２内に捕獲できるようになる。
【００２２】
また、本実施形態によれば、発電所の取水口１近傍のクラゲ１０を海水と一緒にクラゲポンプ５により生きたままクラゲ捕獲バージ２内のクラゲタンク４内に取り込み捕獲しそれらを生きたまま養殖用生け簀内に放出するようにしたので、従来のクラゲを破砕して廃棄物処理する場合に生じていた悪臭の問題などを回避できるようになる。
【００２３】
さらに、本実施形態によれば、前記クラゲ捕獲バージ２内のクラゲ１０を放出用ポンプ１３により生きたまま養殖魚の餌として養殖用生け簀１１内に放出するようにしたので、発電所周辺の養殖用生け簀１１における養殖魚の飼育コストを大幅に低減させられるようになる。
【００２４】
以上、本発明の各実施形態について説明したが、本発明は前記実施形態として述べたものに限定されるものではなく、様々な修正及び変更が可能である。例えば、前記実施形態においては、発電所取水口１近傍のクラゲ１０を前記クラゲ捕獲バージ２の取込口３から取り込む（吸い込む）ようにしたが、本発明では、例えば図１の符号１３で示す放出用パイプの一端を前記発電所取水口１近傍の海中に配置して、クラゲポンプ５により前記放出用パイプ１３の端部からクラゲ１０を吸い込んでクラゲタンク４内に取り込むようにしてもよいことはもちろんである。
【符号の説明】
【００２５】
１     取水口
２     クラゲ捕獲バージ
２ｃ   仕切り部材
３     取込口
３ａ   取込みパイプ３ａ
４     クラゲタンク
４ａ   第１領域
４ｂ   第２領域
５     クラゲポンプ
６     排水口
６ａ   排水パイプ
７     排水ポンプ
８     クラゲ量センサ
９     アラーム等発生装置
１０   クラゲ
１１   養殖用生け簀
１２   タグボート
１３   放出用パイプ
【図１】
2015161140.tif 000003
【図２】
2015161140.tif 000004
【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
発電所の取水口近傍に配置され、前記取水口近傍のクラゲを生きたまま捕獲して自らの内部に収容し、タグボート等の移動手段により遠隔の養殖用生け簀に移動可能であり、且つ自らの内部に収容しているクラゲを生きたまま養殖用生け簀に放出するクラゲ捕獲バージを備えた、発電所取水口近傍のクラゲの捕獲及び放出システムであって、
前記クラゲ捕獲バージは、
海水及びクラゲを収容する第１領域、及び前記第１領域中の海水は通過させるがクラゲは通過させない仕切り部材により前記第１領域と仕切られた第２領域を有するクラゲタンクと、
前記取水口近傍のクラゲを内部に取り込む取込口と、
前記取水口近傍のクラゲを生きたまま前記クラゲタンクの第１領域に取り込むクラゲポンプと、
前記クラゲタンクの第２領域内の海水を排出口から外部に排出する排水ポンプと、
前記クラゲタンクの第１領域内のクラゲの量を検知するクラゲ量センサと、
前記クラゲ量センサからの信号に基づいて所定のアラーム又は情報を出力するアラーム等出力手段と、
前記クラゲタンクの第１領域内のクラゲを養殖用生け簀内に放出する放出用パイプと、
前記クラゲタンクの第１領域内のクラゲを放出用パイプを介して生きたまま養殖用生け簀内に放出する放出用ポンプ又は前記クラゲポンプと兼用される放出用ポンプと、
を備えたものである、ことを特徴とする発電所取水口近傍のクラゲの捕獲及び放出システム。
【請求項２】
発電所の取水口近傍に配置され、前記取水口近傍のクラゲを生きたまま捕獲して自らの内部に収容し、タグボート等の移動手段により遠隔の養殖用生け簀に移動可能であり、且つ自らの内部に収容しているクラゲを生きたまま養殖用生け簀に放出するクラゲ捕獲バージを使用する、発電所取水口近傍のクラゲの捕獲及び放出方法であって、
発電所の取水口近傍に前記クラゲ捕獲バージを配置する工程と、
取水口近傍のクラゲを海水と一緒に取込口からクラゲポンプにより生きたまま前記クラゲ捕獲バージ内のクラゲタンクの第１領域内に取り込むと共に、前記クラゲタンクの第１領域内の海水を、前記クラゲタンク内の前記第１領域内の海水は通過させるがクラゲは通過させない仕切り部材により前記第１領域と仕切られた第２領域に移動させ、前記第２領域に移動した海水を排水ポンプにより排水口から外部に排水する工程と、
前記クラゲタンクの第１領域内のクラゲの量が所定量を超えたことをクラゲ量センサが検知したとき、アラーム等出力手段が所定のアラーム又は情報を出力する工程と、
前記アラーム等の出力に対応して、前記クラゲ捕獲バージをタグボート等の移動手段により遠隔の養殖用生け簀の近傍に移動させ、前記クラゲタンクの第１領域内のクラゲを放出用ポンプ又は前記クラゲポンプと兼用される放出用ポンプにより放出用パイプを介して生きたまま養殖用生け簀内に放出する工程と、
を含むことを特徴とする発電所取水口近傍のクラゲの捕獲及び放出方法。
【手続補正２】
【補正対象書類名】明細書
【補正対象項目名】０００６
【補正方法】変更
【補正の内容】
【０００６】
前述のような従来技術の課題を解決するための本発明による発電所取水口近傍のクラゲの捕獲及び放出システムは、発電所の取水口近傍に配置され、前記取水口近傍のクラゲを生きたまま捕獲して自らの内部に収容し、タグボート等の移動手段により遠隔の養殖用生け簀に移動可能であり、且つ自らの内部に収容しているクラゲを生きたまま養殖用生け簀に放出するクラゲ捕獲バージを備えた、発電所取水口近傍のクラゲの捕獲及び放出システムであって、前記クラゲ捕獲バージは、海水及びクラゲを収容する第１領域、及び前記第１領域中の海水は通過させるがクラゲは通過させない仕切り部材により前記第１領域と仕切られた第２領域を有するクラゲタンクと、前記取水口近傍のクラゲを内部に取り込む取込口と、前記取水口近傍のクラゲを生きたまま前記クラゲタンクの第１領域に取り込むクラゲポンプと、前記クラゲタンクの第２領域内の海水を排出口から外部に排出する排水ポンプと、前記クラゲタンクの第１領域内のクラゲの量を検知するクラゲ量センサと、前記クラゲ量センサからの信号に基づいて所定のアラーム又は情報を出力するアラーム等出力手段と、前記クラゲタンクの第１領域内のクラゲを養殖用生け簀内に放出する放出用パイプと、前記クラゲタンクの第１領域内のクラゲを放出用パイプを介して生きたまま養殖用生け簀内に放出する放出用ポンプ又は前記クラゲポンプと兼用される放出用ポンプとを備えたものである。
【手続補正３】
【補正対象書類名】明細書
【補正対象項目名】０００７
【補正方法】変更
【補正の内容】
【０００７】
また、本発明による発電所取水口近傍のクラゲの捕獲及び放出方法は、発電所の取水口近傍に配置され、前記取水口近傍のクラゲを生きたまま捕獲して自らの内部に収容し、タグボート等の移動手段により遠隔の養殖用生け簀に移動可能であり、且つ自らの内部に収容しているクラゲを生きたまま養殖用生け簀に放出するクラゲ捕獲バージを使用する、発電所取水口近傍のクラゲの捕獲及び放出方法であって、発電所の取水口近傍に前記クラゲ捕獲バージを配置する工程と、取水口近傍のクラゲを海水と一緒に取込口からクラゲポンプにより生きたまま前記クラゲ捕獲バージ内のクラゲタンクの第１領域内に取り込むと共に、前記クラゲタンクの第１領域内の海水を、前記クラゲタンク内の前記第１領域内の海水は通過させるがクラゲは通過させない仕切り部材により前記第１領域と仕切られた第２領域に移動させ、前記第２領域に移動した海水を排水ポンプにより排水口から外部に排水する工程と、前記クラゲタンクの第１領域内のクラゲの量が所定量を超えたことをクラゲ量センサが検知したとき、アラーム等出力手段が所定のアラーム又は情報を出力する工程と、前記アラーム等の出力に対応して、前記クラゲ捕獲バージをタグボート等の移動手段により遠隔の養殖用生け簀の近傍に移動させ、前記クラゲタンクの第１領域内のクラゲを放出用ポンプ又は前記クラゲポンプと兼用される放出用ポンプにより放出用パイプを介して生きたまま養殖用生け簀内に放出する工程と、を含むことを特徴とするものである。